(57)【要約】【課題】短辺梁と柱との剛接合精度を高めることにより、通常ユニットと組み合わされて使用される場合に良好な剛性バランスを確保することができる建物ユニット及びこれを用いたユニット建物を得る。【解決手段】拡張ユニット２０の短辺方向に位置する床大梁４４をそのままの状態で柱３６の下端部と溶接にて剛接合した後、当該床大梁４４を剛接合部５０の近傍部位にて切断し、接合プレート６０を用いて再接合した。この際、接合プレート６０の一端部６０Ａは柱３６側に残された床大梁の一部５４に溶接されており、又他端部６０Ｂは切断された床大梁４４の端部の長孔６２を用いてボルト接合されている。これにより、柔接合部６８が形成されている。従って、先に柔接合部を設定する構成に比べて溶接精度を高めることができ、ひいてはユニット住宅全体の良好な剛性バランスを確保することができる。【選択図】図２
2008163582.tif 000002
【特許請求の範囲】
【請求項１】
長辺方向及び高さ方向の寸法は通常サイズの建物ユニットと略同一に設定されかつ短辺方向の寸法が通常サイズの建物ユニットよりも短く設定された建物ユニットであって、
前記高さ方向に位置する柱と前記短辺方向に位置する梁とが剛接合された後に当該短辺方向に位置する梁における当該高さ方向に位置する柱との接合部位又はその近傍に柔接合部が少なくとも一箇所設けられている、
ことを特徴とする建物ユニット。
【請求項２】
前記柔接合部は、前記短辺方向に位置する梁に脆弱部を設けることにより設定されている、
ことを特徴とする請求項１記載の建物ユニット。
【請求項３】
前記柔接合部は、前記短辺方向に位置する梁を前記柱との接合部位近傍で切断し、かつ柱側に残された梁の一部と切断された梁の端部とに跨った状態で接合部材を配置して両者を再接合すると共に当該接合部材と当該柱側に残された梁の一部との接合及び当該接合部材と当該切断された梁の端部との接合の少なくとも一方をボルト接合にすることにより設定されている、
ことを特徴とする請求項１記載の建物ユニット。
【請求項４】
長辺方向及び高さ方向の寸法は通常サイズの建物ユニットと略同一に設定されかつ短辺方向の寸法が通常サイズの建物ユニットよりも短く設定された建物ユニットであって、
前記高さ方向に位置する柱と前記短辺方向に位置する梁とが剛接合されていると共に、当該短辺方向に位置する梁における当該高さ方向に位置する柱との剛接合部又はその近傍に脆弱部として構成された柔接合部が少なくとも一箇所設けられている、
ことを特徴とする建物ユニット。
【請求項５】
長辺方向及び高さ方向の寸法は通常サイズの建物ユニットと略同一に設定されかつ短辺方向の寸法が通常サイズの建物ユニットよりも短く設定された建物ユニットであって、
前記高さ方向に位置する柱と前記短辺方向に位置する梁とが剛接合されていると共に、当該短辺方向に位置する梁を当該高さ方向に位置する柱との剛接合部の近傍で切断しかつ柱側に残された梁の一部と切断された梁の端部とに跨った状態で接合部材を配置して両者を再接合すると共に当該接合部材と当該柱側に残された梁の一部との接合及び当該接合部材と当該切断された梁の端部との接合の少なくとも一方をボルト接合にすることにより柔接合部が少なくとも一箇所設定されている、
ことを特徴とする建物ユニット。
【請求項６】
長辺方向及び高さ方向の寸法は通常サイズの建物ユニットと略同一に設定されかつ短辺方向の寸法が通常サイズの建物ユニットよりも短く設定された建物ユニットであって、
前記高さ方向に位置する柱と前記短辺方向に位置する梁とが剛接合された後に当該高さ方向に位置する柱における当該短辺方向に位置する梁との接合部位又はその近傍に柔接合部が少なくとも一箇所設けられている、
ことを特徴とする建物ユニット。
【請求項７】
前記柔接合部は、前記高さ方向に位置する柱に脆弱部を設けることにより設定されている、
ことを特徴とする請求項６記載の建物ユニット。
【請求項８】
前記柔接合部は、前記高さ方向に位置する柱を前記梁との接合部位近傍で切断し、かつ梁側に残された柱の一部と切断された柱の端部とに跨った状態で接合部材を配置して両者を再接合すると共に当該接合部材と当該梁側に残された柱の一部との接合及び当該接合部材と当該切断された柱の端部との接合の少なくとも一方をボルト接合にすることにより設定されている、
ことを特徴とする請求項６記載の建物ユニット。
【請求項９】
長辺方向及び高さ方向の寸法は通常サイズの建物ユニットと略同一に設定されかつ短辺方向の寸法が通常サイズの建物ユニットよりも短く設定された建物ユニットであって、
前記高さ方向に位置する柱と前記短辺方向に位置する梁とが剛接合されていると共に、当該高さ方向に位置する柱における当該短辺方向に位置する梁との剛接合部又はその近傍に脆弱部として構成された柔接合部が少なくとも一箇所設けられている、
ことを特徴とする建物ユニット。
【請求項１０】
長辺方向及び高さ方向の寸法は通常サイズの建物ユニットと略同一に設定されかつ短辺方向の寸法が通常サイズの建物ユニットよりも短く設定された建物ユニットであって、
前記高さ方向に位置する柱と前記短辺方向に位置する梁とが剛接合されていると共に、当該高さ方向に位置する柱を当該短辺方向に位置する梁との剛接合部の近傍で切断しかつ梁側に残された柱の一部と切断された柱の端部とに跨った状態で接合部材を配置して両者を再接合すると共に当該接合部材と当該梁側に残された柱の一部との接合及び当該接合部材と当該切断された柱の端部との接合の少なくとも一方をボルト接合にすることにより柔接合部が少なくとも一箇所設定されている、
ことを特徴とする建物ユニット。
【請求項１１】
通常サイズの第１の建物ユニットと、
請求項１乃至請求項１０のいずれか一項に記載された第２の建物ユニットと、
を含んで構成されている、
ことを特徴とするユニット建物。
【発明の詳細な説明】
【技術分野】
【０００１】
本発明は、通常ユニットよりも短辺方向の寸法が短い建物ユニット及びこれを用いたユニット建物に関する。
【背景技術】
【０００２】
下記特許文献１には、ハーフサイズ等の拡張ユニットの短辺梁に接合部材の一端部をボルト及びナットで柔接合した後、接合部材の他端部を柱の端部側面に溶接して剛接合するユニット建物が開示されている。
【０００３】
上記構成によれば、工場の生産ラインに投入する前の段階で短辺梁を柔接合部材としておき、これを工場の生産ラインに投入して柱の端部側面に剛接合することにより、剛性バランスがとれた拡張ユニットが得られる、というものである。
【特許文献１】特開平９−２５６４７３号公報
【発明の開示】
【発明が解決しようとする課題】
【０００４】
しかしながら、上記特許文献１に開示された先行技術による場合、溶接精度の点で改良の余地がある。
【０００５】
すなわち、前記の通り、先行技術による場合、拡張ユニットを生産ラインに投入する前に予め短辺梁と接合部材とを柔接合する前処理工程が必要になるが、一般にボルト挿通孔の内径はボルトの外径よりも僅かに大きく設定されているため、接合部材と短辺梁とをボルト接合した際に僅かな組付誤差が生じる可能性がある。この状態で、接合部材を柱の端部側面に溶接することになるため、溶接歪みが生じるなど溶接精度が低下することが考えられる。なお、溶接精度が低下すると、柔接合した部分の剛性低下量にバラツキが生じる可能性もある。
【０００６】
本発明は上記事実を考慮し、短辺梁と柱との剛接合精度を高めることにより、通常ユニットと組み合わされて使用される場合に良好な剛性バランスを確保することができる建物ユニット及びこれを用いたユニット建物を得ることが目的である。
【課題を解決するための手段】
【０００７】
請求項１の発明は、長辺方向及び高さ方向の寸法は通常サイズの建物ユニットと略同一に設定されかつ短辺方向の寸法が通常サイズの建物ユニットよりも短く設定された建物ユニットであって、前記高さ方向に位置する柱と前記短辺方向に位置する梁とが剛接合された後に当該短辺方向に位置する梁における当該高さ方向に位置する柱との接合部位又はその近傍に柔接合部が少なくとも一箇所設けられている、ことを特徴とする。
【０００８】
請求項２の発明は、請求項１記載の建物ユニットにおいて、前記柔接合部は、前記短辺方向に位置する梁に脆弱部を設けることにより設定されている、ことを特徴とする。
【０００９】
請求項３の発明は、請求項１記載の建物ユニットにおいて、前記柔接合部は、前記短辺方向に位置する梁を前記柱との接合部位近傍で切断し、かつ柱側に残された梁の一部と切断された梁の端部とに跨った状態で接合部材を配置して両者を再接合すると共に当該接合部材と当該柱側に残された梁の一部との接合及び当該接合部材と当該切断された梁の端部との接合の少なくとも一方をボルト接合にすることにより設定されている、ことを特徴とする。
【００１０】
請求項４の発明は、長辺方向及び高さ方向の寸法は通常サイズの建物ユニットと略同一に設定されかつ短辺方向の寸法が通常サイズの建物ユニットよりも短く設定された建物ユニットであって、前記高さ方向に位置する柱と前記短辺方向に位置する梁とが剛接合されていると共に、当該短辺方向に位置する梁における当該高さ方向に位置する柱との剛接合部又はその近傍に脆弱部として構成された柔接合部が少なくとも一箇所設けられている、ことを特徴とする。
【００１１】
請求項５の発明は、長辺方向及び高さ方向の寸法は通常サイズの建物ユニットと略同一に設定されかつ短辺方向の寸法が通常サイズの建物ユニットよりも短く設定された建物ユニットであって、前記高さ方向に位置する柱と前記短辺方向に位置する梁とが剛接合されていると共に、当該短辺方向に位置する梁を当該高さ方向に位置する柱との剛接合部の近傍で切断しかつ柱側に残された梁の一部と切断された梁の端部とに跨った状態で接合部材を配置して両者を再接合すると共に当該接合部材と当該柱側に残された梁の一部との接合及び当該接合部材と当該切断された梁の端部との接合の少なくとも一方をボルト接合にすることにより柔接合部が少なくとも一箇所設定されている、ことを特徴とする。
【００１２】
請求項６の発明は、長辺方向及び高さ方向の寸法は通常サイズの建物ユニットと略同一に設定されかつ短辺方向の寸法が通常サイズの建物ユニットよりも短く設定された建物ユニットであって、前記高さ方向に位置する柱と前記短辺方向に位置する梁とが剛接合された後に当該高さ方向に位置する柱における当該短辺方向に位置する梁との接合部位又はその近傍に柔接合部が少なくとも一箇所設けられている、ことを特徴とする。
【００１３】
請求項７の発明は、請求項６記載の建物ユニットにおいて、前記柔接合部は、前記高さ方向に位置する柱に脆弱部を設けることにより設定されている、ことを特徴とする。
【００１４】
請求項８の発明は、請求項６記載の建物ユニットにおいて、前記柔接合部は、前記高さ方向に位置する柱を前記梁との接合部位近傍で切断し、かつ梁側に残された柱の一部と切断された柱の端部とに跨った状態で接合部材を配置して両者を再接合すると共に当該接合部材と当該梁側に残された柱の一部との接合及び当該接合部材と当該切断された柱の端部との接合の少なくとも一方をボルト接合にすることにより設定されている、ことを特徴とする。
【００１５】
請求項９の発明は、長辺方向及び高さ方向の寸法は通常サイズの建物ユニットと略同一に設定されかつ短辺方向の寸法が通常サイズの建物ユニットよりも短く設定された建物ユニットであって、前記高さ方向に位置する柱と前記短辺方向に位置する梁とが剛接合されていると共に、当該高さ方向に位置する柱における当該短辺方向に位置する梁との剛接合部又はその近傍に脆弱部として構成された柔接合部が少なくとも一箇所設けられている、ことを特徴とする。
【００１６】
請求項１０の発明は、長辺方向及び高さ方向の寸法は通常サイズの建物ユニットと略同一に設定されかつ短辺方向の寸法が通常サイズの建物ユニットよりも短く設定された建物ユニットであって、前記高さ方向に位置する柱と前記短辺方向に位置する梁とが剛接合されていると共に、当該高さ方向に位置する柱を当該短辺方向に位置する梁との剛接合部の近傍で切断しかつ梁側に残された柱の一部と切断された柱の端部とに跨った状態で接合部材を配置して両者を再接合すると共に当該接合部材と当該梁側に残された柱の一部との接合及び当該接合部材と当該切断された柱の端部との接合の少なくとも一方をボルト接合にすることにより柔接合部が少なくとも一箇所設定されている、ことを特徴とする。
【００１７】
請求項１１の発明に係るユニット建物は、通常サイズの第１の建物ユニットと、請求項１乃至請求項１０のいずれか一項に記載された第２の建物ユニットと、を含んで構成されている、ことを特徴とする。
【００１８】
請求項１記載の本発明によれば、高さ方向に位置する柱と短辺方向に位置する梁とが剛接合された後に当該短辺方向に位置する梁における当該高さ方向に位置する柱との接合部位又はその近傍に柔接合部を少なくとも一箇所設けるので、剛接合時には梁に柔接合部は設けられていない。従って、剛接合時の柱と梁との接合面の直角度を正確に出すことができ、溶接歪み等も極力抑えることができる。このため、剛接合される部位の接合精度を高いものにすることができる。その上で、剛接合後に梁に柔接合部を設けることにより、柔接合部の剛性低下量も設計通りのものにすることができる。
【００１９】
請求項２記載の本発明によれば、短辺方向に位置する梁に脆弱部を設けることにより柔接合部を設定することとしたので、部品点数は何ら増加しない。また、どの程度の脆弱部にするかを容易に変更することができる。
【００２０】
請求項３記載の本発明によれば、短辺方向に位置する梁を柱との接合部位近傍で切断し、柱側に残された梁の一部と切断された梁の端部とに跨った状態で接合部材を配置して両者を再接合すると共に当該接合部材と当該柱側に残された梁の一部との接合及び当該接合部材と当該切断された梁の端部との接合の少なくとも一方をボルト接合にすることにより柔接合部を設定することとしたので、加工としては梁の切断と接合部材のボルト接合（正確には、接合部材と当該柱側に残された梁の一部との接合及び接合部材と当該切断された梁の端部との接合の双方をボルト接合にした場合にはボルト接合、いずれか一方のみをボルト接合にした場合にはボルト接合とこれに準じた柔接合）ということになる。梁の切断自体は梁に脆弱部を正確に設けるよりも容易であり、接合部材と切断された梁の端部又は柱側に残された梁の一部とのボルト接合も無理なく作業できる。仮に、接合部材と両者との接合に、ボルト接合と溶接接合とを併用した場合でも、柱との溶接ではなく、柱側に残された梁の一部との溶接になるか切断された梁の端部との溶接になるため、溶接面が直交する関係にないので、溶接精度は確保し易く又溶接作業も容易である。
【００２１】
また、接合部材の部材幅等を変更したり、ボルトの径を変更する等により、柔接合部の剛性を容易に変更することができる。
【００２２】
請求項４記載の本発明によれば、高さ方向に位置する柱と短辺方向に位置する梁とが剛接合されていると共に、当該短辺方向に位置する梁における当該高さ方向に位置する柱との剛接合部又はその近傍に脆弱部として構成された柔接合部が少なくとも一箇所設けられているので、剛接合時には梁に柔接合部を設けることなく、剛接合後に梁に脆弱部を設けて柔接合部を設けるといったことが可能になる。従って、剛接合時の柱と梁との接合面の直角度を正確に出すことができ、溶接歪み等も極力抑えることができる。このため、剛接合される部位の接合精度を高いものにすることができる。その上で、剛接合後に梁に柔接合部を設けることにより、柔接合部の剛性低下量も設計通りのものにすることができる。
【００２３】
請求項５記載の本発明によれば、高さ方向に位置する柱と短辺方向に位置する梁とが剛接合されていると共に、当該短辺方向に位置する梁を当該高さ方向に位置する柱との剛接合部の近傍で切断しかつ柱側に残された梁の一部と切断された梁の端部とに跨った状態で接合部材を配置して両者を再接合すると共に当該接合部材と当該柱側に残された梁の一部との接合及び当該接合部材と当該切断された梁の端部との接合の少なくとも一方をボルト接合にすることにより柔接合部が少なくとも一箇所設定されているので、剛接合後に梁を切断して接合部材で切断箇所を溶接及びボルト接合で接合するといったことが可能になる。従って、剛接合時の柱と梁との接合面の直角度を正確に出すことができ、溶接歪み等も極力抑えることができる。このため、剛接合される部位の接合精度を高いものにすることができる。その上で、剛接合後に梁に柔接合部を設けることにより、柔接合部の剛性低下量も設計通りのものにすることができる。
【００２４】
請求項６記載の本発明によれば、高さ方向に位置する柱と短辺方向に位置する梁とが剛接合された後に当該高さ方向に位置する柱における当該短辺方向に位置する梁との接合部位又はその近傍に柔接合部を少なくとも一箇所設けるので、剛接合時には柱に柔接合部は設けられていない。従って、剛接合時の柱と梁との接合面の直角度を正確に出すことができ、溶接歪み等も極力抑えることができる。このため、剛接合される部位の接合精度を高いものにすることができる。その上で、剛接合後に柱に柔接合部を設けることにより、柔接合部の剛性低下量も設計通りのものにすることができる。
【００２５】
請求項７記載の本発明によれば、高さ方向に位置する柱に脆弱部を設けることにより柔接合部を設定することとしたので、部品点数は何ら増加しない。また、どの程度の脆弱部にするかを容易に変更することができる。
【００２６】
請求項８記載の本発明によれば、高さ方向に位置する柱を梁との接合部位近傍で切断し、梁側に残された柱の一部と切断された柱の端部とに跨った状態で接合部材を配置して両者を再接合すると共に当該接合部材と当該梁側に残された柱の一部との接合及び当該接合部材と当該切断された柱の端部との接合の少なくとも一方をボルト接合にすることにより柔接合部を設定することとしたので、加工としては柱の切断と接合部材のボルト接合（正確には、接合部材と当該梁側に残された柱の一部との接合及び接合部材と当該切断された柱の端部との接合の双方をボルト接合にした場合にはボルト接合、いずれか一方のみをボルト接合にした場合にはボルト接合とこれに準じた柔接合）ということになる。柱の切断自体は柱に脆弱部を正確に設けるよりも容易であり、接合部材と切断された柱の端部又は梁側に残された柱の一部とのボルト接合も無理なく作業できる。仮に、接合部材と両者との接合に、ボルト接合と溶接接合とを併用した場合でも、梁との溶接ではなく、梁側に残された柱の一部との溶接になるか切断された柱の端部との溶接になるため、溶接面が直交する関係にないので、溶接精度は確保し易く又溶接作業も容易である。
【００２７】
また、接合部材の部材幅等を変更したり、ボルトの径を変更する等により、柔接合部の剛性を容易に変更することができる。
【００２８】
請求項９記載の本発明によれば、高さ方向に位置する柱と短辺方向に位置する梁とが剛接合されていると共に、当該高さ方向に位置する柱における当該短辺方向に位置する梁との剛接合部又はその近傍に脆弱部として構成された柔接合部が少なくとも一箇所設けられているので、剛接合時には柱に柔接合部を設けることなく、剛接合後に柱に脆弱部を設けて柔接合部を設けるといったことが可能になる。従って、剛接合時の柱と梁との接合面の直角度を正確に出すことができ、溶接歪み等も極力抑えることができる。このため、剛接合される部位の接合精度を高いものにすることができる。その上で、剛接合後に梁に柔接合部を設けることにより、柔接合部の剛性低下量も設計通りのものにすることができる。
【００２９】
請求項１０記載の本発明によれば、高さ方向に位置する柱と短辺方向に位置する梁とが剛接合されていると共に、当該高さ方向に位置する柱を当該短辺方向に位置する梁との剛接合部の近傍で切断しかつ梁側に残された柱の一部と切断された柱の端部とに跨った状態で接合部材を配置して両者を再接合すると共に当該接合部材と当該梁側に残された柱の一部との接合及び当該接合部材と当該切断された柱の端部との接合の少なくとも一方をボルト接合にすることにより柔接合部が少なくとも一箇所設定されているので、剛接合後に柱を切断して接合部材で切断箇所を溶接及びボルト接合で接合するといったことが可能になる。従って、剛接合時の柱と梁との接合面の直角度を正確に出すことができ、溶接歪み等も極力抑えることができる。このため、剛接合される部位の接合精度を高いものにすることができる。その上で、剛接合後に梁に柔接合部を設けることにより、柔接合部の剛性低下量も設計通りのものにすることができる。
【００３０】
請求項１１記載の本発明によれば、ユニット建物が通常サイズの第１の建物ユニットと請求項１乃至請求項１０のいずれか一項に記載された第２の建物ユニットとを含んで構成されているため、過剰剛性部分の剛性が適度に緩和される。
【発明の効果】
【００３１】
以上説明したように、請求項１記載の建物ユニットは、通常ユニットと組み合わされて使用される場合に良好な剛性バランスを確保することができるという優れた効果を有する。
【００３２】
請求項２記載の本発明に係る建物ユニットは、低コストで柔接合部を設定することができると共に柔接合部の剛性低下量の調整も容易に行うことができるという優れた効果を有する。
【００３３】
請求項３記載の本発明に係る建物ユニットは、容易な作業で柔接合部を設定することができると共に柔接合部の剛性低下量の調整も容易に行うことができるという優れた効果を有する。
【００３４】
請求項４記載の建物ユニットは、通常ユニットと組み合わされて使用される場合に良好な剛性バランスを確保することができるという優れた効果を有する。また、柔接合部が脆弱部として構成されているので、部品点数は何ら増加せず、構造の簡素化及び低コスト化を図ることができる。さらに、どの程度の脆弱部にするかを容易に変更することができるので、柔剛性部の剛性低下量の調整を容易に行うことができるという効果も得られる。
【００３５】
請求項５記載の建物ユニットは、通常ユニットと組み合わされて使用される場合に良好な剛性バランスを確保することができるという優れた効果を有する。また、加工としては梁の切断と接合部材のボルト接合等ということになるため、容易な作業で柔接合部を設定することができる。さらに、接合部材の大きさやボルトの径等を容易に変更することができるので、柔剛性部の剛性低下量の調整を容易に行うことができるという効果も得られる。
【００３６】
請求項６記載の建物ユニットは、通常ユニットと組み合わされて使用される場合に良好な剛性バランスを確保することができるという優れた効果を有する。
【００３７】
請求項７記載の本発明に係る建物ユニットは、低コストで柔接合部を設定することができると共に柔接合部の剛性低下量の調整も容易に行うことができるという優れた効果を有する。
【００３８】
請求項８記載の本発明に係る建物ユニットは、容易な作業で柔接合部を設定することができると共に柔接合部の剛性低下量の調整も容易に行うことができるという優れた効果を有する。
【００３９】
請求項９記載の建物ユニットは、通常ユニットと組み合わされて使用される場合に良好な剛性バランスを確保することができるという優れた効果を有する。また、柔接合部が脆弱部として構成されているので、部品点数は何ら増加せず、構造の簡素化及び低コスト化を図ることができる。さらに、どの程度の脆弱部にするかを容易に変更することができるので、柔剛性部の剛性低下量の調整を容易に行うことができるという効果も得られる。
【００４０】
請求項１０記載の建物ユニットは、通常ユニットと組み合わされて使用される場合に良好な剛性バランスを確保することができるという優れた効果を有する。また、加工としては梁の切断と接合部材のボルト接合等ということになるため、容易な作業で柔接合部を設定することができる。さらに、接合部材の大きさやボルトの径等を容易に変更することができるので、柔剛性部の剛性低下量の調整を容易に行うことができるという効果も得られる。
【００４１】
請求項１１記載の本発明に係るユニット建物は、建物全体としての良好な剛性バランスを確保することができるという優れた効果を有する。
【発明を実施するための最良の形態】
【００４２】
〔第１実施形態〕
以下、図１〜図６を用いて、本発明に係る建物ユニット及びこれを用いたユニット建物の第１実施形態について説明する。
【００４３】
図４には、本実施形態に係るユニット住宅の概略斜視図が示されている。この図に示されるように、ユニット建物としてのユニット住宅１０は、基礎１２と、基礎１２上に設けられた一階部分１４と、一階部分１４の上に設けられた二階部分１６と、図示しない屋根部分と、によって構成されている。さらに、一階部分１４及び二階部分１６は、通常サイズの箱形の複数個の通常ユニット１８と、この通常ユニット１８に隣接して配置された小さいサイズ（本実施形態では、ハーフサイズ）の箱形の複数個の拡張ユニット２０と、によって構成されている。なお、ここでいう第２の建物ユニットとしての「拡張ユニット２０」とは、長辺方向及び高さ方向の寸法が通常サイズの第１の建物ユニットとしての通常ユニット１８と同一に設定されかつ短辺方向の寸法が通常サイズの通常ユニット１８よりも短く設定された建物ユニットをいう。
【００４４】
図３には、通常ユニット１８と拡張ユニット２０とが隣接して配置された部分の斜視図が示されている。この図に示されるように、通常ユニット１８は、四隅に立設された柱２２と、対向する柱２２の上端部同士を繋ぐ長短二種類の天井大梁２４、２６と、対向する柱２２の下端部同士を繋ぐ長短二種類の床大梁２８、３０と、を含んで構成されている。さらに、長辺側の一対の天井大梁２４間には、所定の間隔で天井小梁３２が配設されている。同様に、長辺側の一対の床大梁２８間には、所定の間隔で床小梁３４が配設されている。
【００４５】
同様に、拡張ユニット２０は、四隅に立設された柱３６と、対向する柱３６の上端部同士を繋ぐ天井大梁３８、４０と、対向する柱３６の下端部同士を繋ぐ床大梁４２、４４と、を含んで構成されている。さらに、長辺側の一対の天井大梁３８間には、所定の間隔で複数本の天井小梁４６が配設されている。同様に、長辺側の一対の床大梁４２間には、所定の間隔で複数本の床小梁４８が配設されている。
【００４６】
上述した拡張ユニット２０の短辺方向に位置する床大梁４４と柱３６との接合部に本実施形態の特徴があり、以下に詳細に説明する。
【００４７】
図１及び図２に示されるように、床大梁４４は溝形鋼で構成されており、その長手方向の端部４４Ａは、柱３６の下端部の側面に充分な溶接長をもって溶接されている。なお、この床大梁４４の長手方向の端部４４Ａと柱３６の下端部との溶接接合部分が剛接合部５０である。
【００４８】
また、この床大梁４４は、柱３６への剛接合後に接合部位近傍にて切断されている。以下、切断された箇所を「切断部５２」と称す。これにより、切断部５２を挟んで、柱３６側に残された床大梁の一部５４と切断された床大梁の端部５６とが僅かな隙間５８をあけて梁長手方向に対向して配置されている。そして、柱３６側に残された床大梁の一部５４のウェブ面と切断された床大梁の端部５６のウェブ面とに跨るように矩形平板状の接合部材としての接合プレート６０が当接状態で配置されて各々接合されている。具体的には、接合プレート６０の一端部６０Ａは、柱３６側に残された床大梁の一部５４のウェブ面に溶接されている。また、接合プレート６０の他端部６０Ｂは、切断された床大梁の端部５６にボルト接合されている。詳細には、接合プレート６０の他端部側には上下二段に長孔６２が予め形成されており、これに対応して、切断された床大梁の端部５６のウェブには長孔６２と重なる上下二箇所にボルト挿通孔がそれぞれ形成されている。そして、長孔６２及びボルト挿通孔へボルト６４が挿入され、ナット６６（図２（Ａ）参照）が螺合されることにより、接合プレート６０の他端部６０Ｂと切断された床大梁の端部５６とが締結固定されている。なお、この接合プレート６０を使った接合部分が柔接合部６８である。
【００４９】
つまり、本発明における「剛接合部」とは床大梁４４の長手方向の端部４４Ａと柱４２との接合部のように充分な溶接長を有して溶接等されることにより相対的に剛性が充分に高い接合部分をいい、これに対し、本発明における「柔接合部」とは接合プレート６０を使った接合部のようにその接合部位の剛性を意図的に相対的に低くした接合部分をいう。従って、本実施形態のように、接合プレート６０の一端部６０Ａは床大梁の一部５４に溶接されているが、剛接合部５０に比べれば溶接長も短くそれほどの溶接強度は得られない。また、接合プレート６０の他端部６０Ｂは床大梁の端部５６にボルト接合されているため、剛接合部５０に比べれば接合強度は低い。よって、本実施形態では、接合プレート６０が添接された部位全体で柔接合部６８が構成されている。
【００５０】
（作用・効果）
次に、本実施形態の作用並びに効果について説明する。
【００５１】
工場の生産ラインで本実施形態の拡張ユニット２０を組み立てる際の手順について説明する。工場の生産ラインでは、通常ユニット１８と同様の手順で、箱形の拡張ユニット２０の組立作業が行われる。すなわち、先に、拡張ユニット２０の短辺側に位置する床大梁４４の長手方向の端部４４Ａを柱３６の下端部（仕口部）の側面に溶接し、剛接合する。従って、この時点では、床大梁４４は切断されていない。次に、床大梁４４の長手方向の端部４４Ａを柱３６の下端部の側面に剛接合した後、床大梁４４の長手方向の端部４４Ａの近傍部位で床大梁４４を切断する。切断後、柱３６側に残された床大梁の一部５４のウェブ面と接合プレート６０の一端部６０Ａとが溶接され、続いて接合プレート６０の他端部６０Ｂと切断された床大梁の端部５６のウェブとがボルト接合される。ボルト接合に際しては、接合プレート６０の他端部６０Ｂに形成された長孔６２及び切断された床大梁の端部５６に形成されたボルト挿通孔とが重ね合わされて、ボルト６４が双方に挿入され、貫通端部にナット６６が螺合されることにより、接合がなされる。これにより、拡張ユニット２０の短辺側に位置する床大梁４４と柱３６の下端部との接合部に剛接合部５０が設定されると共にその近傍部位に柔接合部６８が形成される。なお、以上の柔接合部６８を設定する作業は、工場内で拡張ユニット２０を生産する一連の生産ラインの途中で行われる。つまり、本実施形態では、生産時に稼動している生産ラインに独立した一工程を追加するといった特別の手間をかけることなく、柔接合部６８を設定する作業を行うことが可能である。
【００５２】
上記の如くして組み立てられた拡張ユニット２０と通常ユニット１８とを必要個数分、工場から現地へ輸送車両で輸送して、ユニット住宅１０が構築される。
【００５３】
本実施形態のユニット住宅１０が構築された状態では、拡張ユニット２０と通常ユニット１８とが隣接して配置された箇所の剛性バランスは、図５（Ｂ）に示される如くとなる。すなわち、床大梁４４と柱３６との接合部位近傍に柔接合部６８が設定されたことにより、床大梁４４と柱３６との接合部の剛性は低下する（図５（Ｂ）では、高剛性部を黒塗りの三角記号で示しており、低剛性部を白抜きの三角記号で示している）。従って、全体の剛性バランスは良好に確保される。
【００５４】
これに対し、柔接合部６８が設定されなかった場合には、図５（Ａ）に示されるように、床大梁７０と柱３６との接合部の剛性は高いままであり、拡張ユニット７２の剛性が高くなり過ぎる。従って、拡張ユニット７２と通常ユニット１８とが隣接して配置される部分の剛性が高くなり過ぎるので、全体の剛性バランスも本実施形態に比べればアンバランスになっている。
【００５５】
このように本実施形態に係る拡張ユニット２０及びこれを用いたユニット住宅１０では、剛性が高くなり過ぎる部分の剛性を緩和して、良好な剛性バランスを確保することができる。また、ユニット住宅１０全体として良好な剛性バランスを確保することにより、地震に対する耐久性（耐震性）を向上させることができる。なお、この点については、第２実施形態の説明の後で更に詳細に説明することにする。
【００５６】
特に、本実施形態では、拡張ユニット２０において短辺側に位置する床大梁４４の長手方向の端部４４Ａを柱３６の下端部の側面に先に溶接して剛接合部５０を設けてから、剛接合部５０の近傍部位で当該床大梁４４を切断し、柔接合部６８を設ける構成としたので、剛接合時の柱３６と床大梁４４との接合面の直角度を正確に出すことができ、溶接歪み等も極力抑えることができる。従って、剛接合部５０の接合精度を高くすることができる。その上で、床大梁４４に柔接合部６８を設けることにより、柔接合部６８の剛性低下量も設計通りのものにすることができる。その結果、本実施形態によれば、極めて良好な剛性バランスが得られる。
【００５７】
また、本実施形態の場合、柔接合部６８を設定する際の加工としては、床大梁４４の切断と接合プレート６０の溶接及びボルト接合ということになる。床大梁４４の切断自体は容易であり、接合プレート６０の溶接にしても、柱３６との溶接ではなく、柱３６側に残された床大梁の一部５４との溶接になるため、溶接面が直交する関係にないので、溶接精度は確保し易く又溶接作業も容易である。さらに、接合プレート６０と切断された床大梁の端部５６とのボルト接合も無理なく作業できる。従って、容易な作業で柔接合部６８を設定することができる。
【００５８】
さらに、接合プレート６０の部材幅や板厚等を変更したり、ボルト６４の径を変更する等により、柔接合部６８の剛性を容易に変更することができる。従って、柔接合部６８の剛性低下量の調整も容易に行うことができる。
【００５９】
加えて、本実施形態では、接合プレート６０の他端部６０Ｂに上下一対の長孔６２を形成し、長孔６２と切断された床大梁の端部５６に形成されたボルト挿通孔にボルト６４を挿通させてナット６６で締結することにより、接合プレート６０の他端部６０Ｂと切断された床大梁の端部５６とを接合する構成としたので、地震時等の外力が作用した際に、柱３６と床大梁４４との間で長孔６２に沿って相対移動することができる。従って、床大梁４４における曲げ応力の発生を抑制することができ、拡張ユニット２０の耐久性を向上させることができる。
【００６０】
なお、上述した第１実施形態では、接合プレート６０の一端部６０Ａを柱３６側に残された床大梁の一部５４の方に溶接し、接合プレート６０の他端部６０Ｂを切断された床大梁の端部５６の方にボルト接合する構成を採ったが、これに限らず、逆にしてもよいし、接合プレート６０の一端部６０Ａ側及び他端部６０Ｂ側の双方をボルト接合にしてもよい。
【００６１】
また、上述した第１実施形態では、接合プレート６０の他端部６０Ｂを切断された床大梁の端部５６に上下二段にボルト接合する構成を採ったが、これに限らず、図６（Ａ）、（Ｂ）に示される構成を採用してもよい。概説すると、この変形例では、接合プレート６０の他端部６０Ｂの上段側の長孔６２の中央部にガイドピン７４が固着されている。このガイドピン７４を切断された床大梁の端部５６のウェブに形成された上側のボルト挿通孔内へ挿入して位置決めし、下段側の長孔６２からボルト６４を挿通させて貫通端部にナット６６を螺合させる構成である。
【００６２】
この構成によれば、ボルト接合点が二箇所から一箇所になり、その一箇所のボルト接合に際してもガイドピン７４を対応するボルト挿通孔に挿通させれば位置決めがなされるので、簡単に長孔６２とボルト挿通孔との位置決め作業を行うことができる。従って、柔接合部６８を設定する際の作業効率が非常に良くなり、作業時間を短縮できる。その結果、工場の生産ラインの一サイクルに与える影響も極めて僅かなものにすることができる。
【００６３】
〔第２実施形態〕
次に、図７〜図９を用いて、本発明に係る建物ユニット及びこれを用いたユニット建物の第２実施形態について説明する。なお、前述した第1実施形態と同一構成部分については、同一番号を付してその説明を省略する。
【００６４】
図７及び図８に示されるように、この第２実施形態に係る拡張ユニット８０では、短辺方向に位置する床大梁８２の長手方向の端部８２Ａを柱３６の下端部の側面に溶接により剛接合する点は前述した第１実施形態と同様であるが、柔接合部８４が上下一対のスリット８６を形成することにによって構成されている点に特徴がある。
【００６５】
具体的に説明すると、短辺方向に位置する床大梁８２の長手方向の端部８２Ａの近傍部位には、上下のフランジ側からウェブの中心に向けて脆弱部としてのスリット８６がそれぞれ形成されている。スリット８６のスリット幅Ｂ及びウェブ面上でのスリット長Ｌは、剛性低下量との関係で所定幅及び所定長さに設定されている。また、スリット８６は、短辺方向に位置する床大梁８２の長手方向の端部８２Ａを柱３６の下端部に剛接合した後に形成されている。
【００６６】
（作用・効果）
この第２実施形態によっても、剛接合部５０を先に設定してから、剛接合部５０の近傍部位に柔接合部８４を設定する構成であるため、前述した第１実施形態と同様に、剛接合時の柱３６と床大梁８２との接合面の直角度を正確に出すことができ、溶接歪み等も極力抑えることができる。従って、剛接合部５０の接合精度を高くすることができる。その上で、床大梁８２に柔接合部８４を設けることにより、柔接合部８４の剛性低下量も設計通りのものにすることができる。その結果、本実施形態によれば、ユニット住宅１０全体として極めて良好な剛性バランスを確保することができ、ひいては地震に対する耐久性（耐震性）を向上させることができる。
【００６７】
また、本実施形態によれば、床大梁８２の長手方向の端部８２Ａの近傍部位に上下からスリット８６を形成する構成であるので、部品点数は何ら増加しない。従って、構造の簡素化及び低コスト化を図ることができる。
【００６８】
さらに、スリット８６のスリット幅及び長さを変更することにより、どの程度の脆弱部ひいては柔接合部８４にするかを容易に変更することができる。従って、柔接合部８４の剛性低下量の調整も容易に行うことができる。
【００６９】
なお、上述した第２実施形態では、短辺方向に位置する床大梁８２の長手方向の端部近傍部位に上下から切れ込むスリット８６を形成することで脆弱部を構成したが、これに限らず、スリット８６以外の他の構成を用いてもよい。例えば、スリット８６に替えて、溝形鋼である床大梁８２の稜線を跨ぐような剛性低下用の穴を形成してもよい。
【００７０】
また、上述した第２実施形態では、床大梁８２のウェブ面の中心近くまでスリット８６が切れ込む構成を採ったが、これに限らず、図９（Ａ）、（Ｂ）に示される構成を採用してもよい。概説すると、この変形例では、床大梁８２のウェブに重量軽減孔８８が形成されており、この重量軽減孔８８の中心を通る上下のフランジにのみスリット９０が形成されている。なお、スリット９０は、フランジとウェブとの稜線にかかるように形成されている。
【００７１】
この構成によれば、重量軽減孔８８は既存のものであり、これを脆弱部として利用しようとするものである。従って、既存の構成を有効活用することができると共に、スリット９０の形成範囲も削減されるので、柔接合部９２を設定する際の作業効率が非常に良くなり、作業時間を短縮できる。その結果、工場の生産ラインの一サイクルに与える影響も極めて僅かなものにすることができる。
【００７２】
〔上記第1実施形態及び第２実施形態の効果の補足説明〕
以下、図１０〜図１２を用いて、上述した第１実施形態及び第２実施形態で得られる効果について補足説明する。
【００７３】
＜高過ぎる水平剛性を抑えることで耐震性が上がる理由＞
図１０（A）には、左列が拡張ユニット（ハーフユニット）１００で構成されており、右列が通常ユニット１０２で構成されたユニット建物１０４の平面配置図である。この図におけるＧ点がこのユニット建物１０４の重心（重量の中心）であり、Ｋ点が剛心（水平剛性の中心）である。また、地震時の水平力Ｆは重心Ｇに作用し、剛心Ｋ回りにユニット建物１０４が変形する。
【００７４】
今、このユニット建物１０４の場合、Ｘ０通りのラーメンの水平剛性が高すぎるため、剛心Ｋが重心Ｇに対して大きく左にずれている。重心Ｇと剛心Ｋとのずれ量（＝偏心量）ｅが大きいと、地震時の水平力Ｆが重心Ｇに作用した際に、ユニット建物１０４のねじれ変形が大きくなり、Ｘ２通りに大きな変形が生じる可能性がある。従って、耐震性能が相対的に低くなる。
【００７５】
これに対し、図１０（Ｂ）に示されるように、仮にＸ０通りに柔接合部１０６が設定された本発明適用のユニット建物１０８の場合、Ｘ０通りのラーメンの水平剛性が低下されるため、剛心Ｋが右側に移動し、重心Ｇとのずれ量ｅが小さくなる。従って、ユニット建物１０８のねじれ変形も小さくなり、Ｘ２通りに大きな変形は生じない。従って、図１０（Ａ）に示されるユニット建物１０４の場合よりも相対的に耐震性能を向上させることができる。
【００７６】
なお、ずれ量（偏芯量）ｅがあまりに大きい場合には、ユニット建物の耐力の割増が必要となり、ラーメンの板厚が増加し、鋼材使用量が増加するというディメリットも生じてくるが、本実施形態の場合にはそのようなディメリットは生じない。
【００７７】
＜高過ぎる水平剛性を抑えることで得られる設計上のメリット＞
図１１（Ａ）、（Ｂ）に示されるように、柔接合部が設けられていない拡張ユニット１１０を変位量δだけ水平変位させた場合と、図１１（Ｃ）、（Ｄ）に示されるように、柔接合部１１２が設けられた拡張ユニット１１４を同一の変位量δだけ水平変位させた場合とでは、図１１（Ｅ）に示されるように、水平力Ｐ１＞水平力Ｐ２の関係が成り立つ。従って、これを反力に置き換えると、Ｒ１＝（Ｈ／Ｌ）×Ｐ１、Ｒ２＝（Ｈ／Ｌ）×Ｐ２である（但し、Ｈ、Ｌは一定）から、反力Ｒ１＞反力Ｒ２の関係が成り立つ。つまり、水平剛性が高いと、ラーメン柱脚部の反力Ｒが大きくなる。
【００７８】
よって、拡張ユニットの水平剛性が高いと、上下階の建物ユニットを連結するボルト及び一階ユニットと基礎とを連結するアンカーボルトに作用する力が大きくなる。具体的には、一方の柱脚部には大きな引抜き力が作用し、他方の柱脚部には大きな圧縮力が作用する。このため、引抜き力が大きくても耐えられるようにするには、ボルトの強度を上げたり、本数を増やす必要が生じてくる。しかし、本実施形態では、拡張ユニット側に柔接合部を設けているので、このような設計上の不利は生じない。
【００７９】
＜ユニット建物全体の剛性バランスを最適設計とすることができる。＞
図１２（Ａ）には、すべて剛接合とした拡張が模式的に示されている。これに対し、図１２（Ｂ）〜図１２（Ｉ）には、少なくとも一箇所に柔接合部を設定した拡張ユニットのバリエーションが示されている。
【００８０】
今仮に、図１２（Ａ）のようにすべての接合部を剛接合とした拡張ユニット１２０Ａの水平剛性Ｋ０を１とすると、図１２（Ｂ）のように床梁一箇所に柔接合部１２２を設定した拡張ユニット１２０Ｂの場合、水平剛性Ｋ１はＫ０の約半分強となり、床梁二箇所に柔接合部１２２を設定した拡張ユニット１２０Ｃの場合、水平剛性Ｋ２はこれよりも小さい１／３弱となる。図１２（Ｄ）のように天井梁一箇所に柔接合部１２２を設定した拡張ユニット１２０Ｄの場合の水平剛性Ｋ３はＫ１の場合と概ね同じになり、図１２（Ｅ）のように天井梁二箇所に柔接合部１２２を設定した拡張ユニット１２０Ｅの場合の水平剛性Ｋ４はＫ２の場合と概ね同じになる。
【００８１】
また、図１２（Ｆ）のように天井梁及び床梁にそれぞれ一箇所ずつ対角線上に柔接合部１２２を設定した拡張ユニット１２０Ｆの水平剛性Ｋ５はＫ０の約１／４となり、図１２（Ｇ）のように非対角線上に柔接合部１２２を設定した拡張ユニット１２０Ｇの水平剛性Ｋ６はＫ０の約１／２．５となる。
【００８２】
さらに、図１２（Ｈ）のように天井梁の一箇所と床梁の二箇所に柔接合部１２２を設定した拡張ユニット１２０Ｈの水平剛性Ｋ７はＫ０の約１／８強となり、図１２（Ｉ）のように天井梁の二箇所と床梁の一箇所に柔接合部１２２を設定した拡張ユニット１２０Ｉの水平剛性Ｋ８はＫ０の約１／８弱となる。
【００８３】
このようにすべての接合部が剛接合部とされた拡張ユニット１２０Ａに比べて、少なくとも一箇所に柔接合部１２２を設定することにより、ラーメン構造である拡張ユニット１２０の水平剛性Ｋは必ず小さくなる。従って、柔接合部１２２の設定位置及び設定箇所数に応じて、様々な水平剛性Ｋを有する拡張ユニット１２０が得られる。その結果、ユニット建物全体の剛性バランスをより最適設計化することができる。
【００８４】
〔本実施形態の補足説明〕
以上説明した各実施形態では、一般住宅に対して本発明を適用したが、これに限らず、他の用途（商業的用途、工業的用途、農業的用途、福祉施設・公共施設等の非営利目的の行政的用途を含む）のユニット建物に対して本発明を用いてもよい。
【００８５】
また、上述した各実施形態では、いずれも短辺側に位置する床大梁４４、８２に対して両端側二箇所ずつ柔接合部６８、９２を設定する構成を採ったが、これに限らず、上述したように少なくとも一箇所に柔接合部が設定されていればよい。また、柔接合部を設ける対象も床大梁に限らず、天井大梁でもよいし、柱でもよい。さらに、柔接合部を設ける箇所は、床大梁、天井大梁における柱との接合部近傍或いは柱における床大梁、天井大梁との接合部近傍に限らず、柱と梁とを剛接合した後に柱と梁との接合部自体に柔接合部を重ねて設定するようにしてもよい。また、下階側の拡張ユニットに対して柔接合部を設定する場合について説明してきたが、これに限らず、上階側の拡張ユニットに対して柔接合部を設定するようにしてもよい。
【図面の簡単な説明】
【００８６】
【図１】第１実施形態に係るユニット住宅における拡張ユニットの要部を示す拡大斜視図である。
【図２】（Ａ）は拡張ユニットの途中を省略した平面図であり、（Ｂ）はその立面図である。
【図３】通常ユニットと拡張ユニットとを隣接して配置した状態を示す斜視図である。
【図４】第１実施形態に係るユニット住宅の概略斜視図である。
【図５】（Ａ）は本発明を適用しなかった場合の剛性バランスを示す説明図であり、（Ｂ）は本発明を適用した場合の剛性バランスを示す説明図である。
【図６】（Ａ）は第１実施形態の変形例の要部を拡大して示す平面図であり、（Ｂ）はその立面図である。
【図７】第２実施形態に係るユニット住宅における拡張ユニットの要部を示す拡大斜視図である。
【図８】（Ａ）は拡張ユニットの途中を省略した平面図であり、（Ｂ）はその立面図である。
【図９】（Ａ）は第２実施形態の変形例の要部を拡大して示す平面図であり、（Ｂ）はその立面図である。
【図１０】高過ぎる水平剛性を抑えると耐震性が上がる理由を説明するための説明図である。
【図１１】高過ぎる水平剛性を抑えることで得られる設計上のメリットを説明するための説明図である。
【図１２】ユニット建物全体の剛性バランスを最適設計とすることができるという効果を説明するための説明図である。
【符号の説明】
【００８７】
１０      ユニット住宅（ユニット建物）
１８      通常ユニット（第１の建物ユニット）
２０      拡張ユニット（第２の建物ユニット）
３６      柱
４４      床大梁
４４Ａ    長手方向の端部
５０      剛接合部
５４      床大梁の一部
５６      床大梁の端部
６０      接合プレート（接合部材）
６０Ａ    一端部
６０Ｂ    他端部
６４      ボルト
６６      ナット
６８      柔接合部
８０      拡張ユニット（第２の建物ユニット）
８２      床大梁
８２Ａ    長手方向の端部
８４      柔接合部
８６      スリット（脆弱部）
８８      重量軽減孔（脆弱部）
９０      スリット（脆弱部）
９２      柔接合部
【図１】
2008163582.tif 000003
【図２】
2008163582.tif 000004
【図３】
2008163582.tif 000005
【図４】
2008163582.tif 000006
【図５】
2008163582.tif 000007
【図６】
2008163582.tif 000008
【図７】
2008163582.tif 000009
【図８】
2008163582.tif 000010
【図９】
2008163582.tif 000011
【図１０】
2008163582.tif 000012
【図１１】
2008163582.tif 000013
【図１２】
2008163582.tif 000014